(57)【要約】      （修正有）【課題】ダブルデッキエレベーターにおけるかご位置調整ロープの交換を容易に行うこと。【解決手段】昇降路内に昇降自在に配置された外かごと、前記外かご内に互いに離れて昇降自在に配置された上かご及び下かごと、前記上かごと前記下かごの間隔を可変に調整するかご位置調整ロープとを備えたダブルデッキエレベーターにおけるかご位置調整ロープの交換方法であって、前記上かごと前記下かごのうち一方のかごの下方にジャッキ装置を配置し、他方のかごの下方にジャッキ装置又は支持材を配置する第１の工程と、前記ジャッキ装置を上昇させて、前記かご位置調整ロープに付与していた張力を除去する第２の工程と、前記かご位置調整ロープの両端を取り外して、前記かご位置調整ロープの一端側に交換用かご位置調整ロープを接続して送り出し、前記かご位置調整ロープの他端側を引き込んで回収する第３の工程と、を含む。【選択図】図９
2018012575.tif 000002
【特許請求の範囲】
【請求項１】
昇降路内に昇降自在に配置された外かごと、前記外かご内に互いに離れて昇降自在に配置された上かご及び下かごと、前記上かごと前記下かごの間隔を可変に調整するかご位置調整ロープとを備えたダブルデッキエレベーターにおけるかご位置調整ロープの交換方法であって、
前記上かごと前記下かごのうち一方のかごの下方にジャッキ装置を配置し、他方のかごの下方にジャッキ装置又は支持材を配置する第１の工程と、
前記ジャッキ装置を上昇させて、前記かご位置調整ロープに付与していた張力を除去する第２の工程と、
前記かご位置調整ロープの両端を取り外して、前記かご位置調整ロープの一端側に交換用かご位置調整ロープを接続して送り出し、前記かご位置調整ロープの他端側を引き込んで回収する第３の工程と、を含むことを特徴とするかご位置調整ロープの交換方法。
【請求項２】
請求項１に記載のかご位置調整ロープの交換方法であって、
前記第１の工程では、
前記上かごの下方に配置された上かご用緩衝器が取り外された位置又は前記下かごの下方に配置された下かご用緩衝器が取り外された位置のうち一方の位置に前記ジャッキ装置を配置し、他方の位置に前記ジャッキ装置又は前記支持材を配置することを特徴とするかご位置調整ロープの交換方法。
【請求項３】
請求項１に記載のかご位置調整ロープの交換方法であって、
少なくとも前記第３の工程では、
前記上かごと前記下かごを相異なる乗場に移動させ、前記下かごが位置する下階床乗場で、前記交換用かご位置調整ロープを送り出す作業を行い、前記上かごが位置する上階床乗場で、前記かご位置調整ロープの他端側を回収する作業を行うことを特徴とするかご位置調整ロープの交換方法。
【発明の詳細な説明】
【技術分野】
【０００１】
本発明は、上下に配設した乗かごを備えたダブルデッキエレベーターの上下かご位置の間隔を可変とするかご位置調整ロープの交換方法に関する。
【背景技術】
【０００２】
近年、ビルの高層化に伴い、輸送能力を大きく向上させるために、上下に乗かごを配置したダブルデッキエレベーターが設置されている。このダブルデッキエレベーターは、上下乗かご間にかご位置調整用ロープが張設されており、このロープをかご位置調整用巻上機で駆動することで、上下乗かご間の間隔を可変とすることができる。
【０００３】
また、この上下乗かご間の間隔の調整は、エレベータの隣接する上下乗場間の間隔寸法に合わせるために行われている。すなわち、下かごが１階乗場の着床位置に位置していれば、上かごが２階乗場の着床位置に位置するように、上下乗かご間の間隔の調整を行っている。
【０００４】
このような上下乗かご間の間隔の調整を行うダブルデッキエレベーターとしては、かご位置調整用ロープの伸びを検出して、その張力調整を行う調整装置が提案されていた(特許文献１参照)。
【先行技術文献】
【特許文献】
【０００５】
【特許文献１】特開２０１４−１３６６３６号公報
【発明の概要】
【発明が解決しようとする課題】
【０００６】
しかし、前記従来技術によれば、かご位置調整用ロープの張力調整はできるものの、ロープが経年劣化して、交換が必要な場合への考慮が十分でなかった。
【０００７】
本発明は、上記課題に鑑みてなされたもので、その目的は、ダブルデッキエレベーターにおけるかご位置調整ロープの交換を容易に行うことにある。
【課題を解決するための手段】
【０００８】
本発明は、上記目的を達成するために、昇降路内に昇降自在に配置された外かごと、前記外かご内に互いに離れて昇降自在に配置された上かご及び下かごと、前記上かごと前記下かごの間隔を可変に調整するかご位置調整ロープとを備えたダブルデッキエレベーターにおけるかご位置調整ロープの交換方法であって、前記上かごと前記下かごのうち一方のかごの下方にジャッキ装置を配置し、他方のかごの下方にジャッキ装置又は支持材を配置する第１の工程と、前記ジャッキ装置を上昇させて、前記かご位置調整ロープに付与していた張力を除去する第２の工程と、前記かご位置調整ロープの両端を取り外して、前記かご位置調整ロープの一端側に交換用かご位置調整ロープを接続して送り出し、前記かご位置調整ロープの他端側を引き込んで回収する第３の工程と、を含むことを特徴とする。
【発明の効果】
【０００９】
本発明によれば、ダブルデッキエレベーターにおけるかご位置調整ロープの交換を容易に行うことができる。
【図面の簡単な説明】
【００１０】
【図１】本発明の一実施例を示すダブルデッキエレベーターの全体構成を示す概略図である。
【図２】本実施例におけるダブルデッキエレベーターの外かごの構成を示す縦断面図である。
【図３】本実施例におけるかご位置調整ロープの交換方法を説明するための外かごの縦断面図である。
【図４】本実施例におけるかご位置調整ロープの交換方法を説明するための外かごの縦断面図である。
【図５】本実施例におけるかご位置調整ロープの交換方法を説明するための外かごの縦断面図である。
【図６】本実施例におけるかご位置調整ロープの交換方法を説明するための外かごの縦断面図である。
【図７】本実施例におけるかご位置調整ロープの交換方法を説明するための外かごの縦断面図である。
【図８】本実施例におけるかご位置調整ロープの交換方法を説明するための外かごの縦断面図である。
【図９】本実施例におけるかご位置調整ロープの交換方法であって、作業者による作業手順を説明するためのフローチャートである。
【発明を実施するための形態】
【００１１】
まず、本発明の一実施例であって、本発明に係るかご位置調整ロープの交換方法を適用するダブルデッキエレベーターの構造を図面を用いて説明する。
【００１２】
図１は、本発明の一実施例を示すダブルデッキエレベーターの全体構成を示す概略図である。図１において、ダブルデッキエレベーターは、昇降路１と、昇降路１内を昇降する外かご２と、昇降路１内を昇降するつり合いおもり４と、一端が外かご２に連結され、他端がつり合いおもり４に連結される主索３と、昇降路１の上部に設置された機械室５とを備えて構成される。
【００１３】
外かご２とつり合いおもり４は、主索３に吊持され、昇降路１内を互いに反対方向に昇降する。機械室５には、駆動装置６とそらせ車７と制御装置８とが設置される。
【００１４】
駆動装置６は、主索３が巻き掛けられ、主索３を駆動して外かご２とつり合いおもり４とを釣瓶式に昇降させる。即ち、駆動装置６は、昇降路１内に配置されたつり合いおもり４と外かご２とを結ぶ主索３が巻き掛けられ、外かご２を昇降駆動することができる。そらせ車７は、駆動装置６の近傍に配置され、主索３が巻き掛けられる。
【００１５】
制御装置８は、ダブルデッキエレベーターの運転を制御する。駆動装置６と制御装置８とは、ケーブル３６ａを介して接続される。また、制御装置８は、ケーブル３６ｂを介して、外かご２内の上かご１２と下かご１３の駆動を制御する制御装置１８と接続される。
【００１６】
外かご２の内部には、上かご１２と、上かご１２の下方に位置する下かご１３とが配置
される。上かご１２と下かご１３は、外かご２の内部を上下に変位可能である。
【００１７】
上かご１２の下部には、２つの上かごプーリ９ａ、９ｂが取り付けられる。下かご１３の下部には、２つの下かごプーリ１０ａ、１０ｂが取り付けられる（図２に参照）。
【００１８】
なお、本実施例では、上方階１ａの乗り場階の間隔は、下方階１ｂの乗り場階の間隔よりも大きいものとする。すなわち、上方階１ａの乗り場階の間隔をＨ１、下方階１ｂの乗り場階の間隔をＨ２とすると、Ｈ１＞Ｈ２である。
【００１９】
図２は、本実施例によるダブルデッキエレベーターの外かごの構成を示す縦断面図ある。図２において、外かご２は、上部に設けられた上梁２ａ、中間部に設けられた中間梁（内かご用バッファ台）２ｄ、下部に設けられた下梁（内かご用バッファ台）２ｅ、及び上梁２ａと中間梁２ｄと下梁２ｅとを接続する一対の縦枠２ｂを備える。この際、外かご２は、昇降路１内に昇降自在に配置され、その内部に複数の収納室が形成されている。即ち、上梁２ａと、中間梁２ｄと、下梁２ｅ及び一対の縦枠２ｂにより、上かご１２を昇降自在に収納するための収納室（上方の収納室）と、下かご１３を昇降自在に収納するための収納室（下方の収納室）が鉛直方向に沿って形成されている。
【００２０】
外かご２は、昇降路１内に設けられた図示しない一対の外かごガイドレールにガイドされて昇降路１内を昇降する。また、図示していないが、つり合いおもり４は、昇降路１内に設けられたつり合いおもりガイドレールにガイドされて昇降路１内を昇降する。
【００２１】
上梁２ａの上部には、かご位置調整用巻上機１１が載置される。かご位置調整用巻上機１１は、かご位置調整駆動シーブ１１ａを備え、上かご１２と下かご１３を外かご２の内部で上下に変位させる。
【００２２】
中間梁２ｄには、上かご１２が、外かご２内で下降しすぎた非常時に、上かご１２を下から支えて上かご１２と中間梁２ｄとの衝突を緩和するための緩衝器２４ａが備えられている。緩衝器２４ａは、上かご１２底部と相対向して収納室（上方の収納室）に配置された上かご用緩衝器（バッファ）として構成される。
【００２３】
下梁２ｅには、下かご１３が、外かご２内で下降しすぎた非常時に、下かご１３を下から支えて下かご１３と下梁２ｅとの衝突を緩和するための緩衝器２４ｂが備えられている。緩衝器２４ｂは、下かご１３底部と相対向して収納室（下方の収納室）に配置された下かご用緩衝器（バッファ）として構成される。各緩衝器２４ａ、２４ｂには、ばねや油圧ダンパー等を用いることができる。
【００２４】
かご１２と下かご１３の間の間隔は、索状体であるかご位置調整ロープ１７により変えることができる。
【００２５】
図２に示すように、かご位置調整ロープ１７は、一方の端部が弾性体１９を介して、外かご２上部の上梁２ａに取り付けられ、上かごプーリ９ａ、９ｂとかご位置調整駆動シーブ１１ａに巻き掛けられて、上かご１２を吊持する。
【００２６】
その後、かご位置調整ロープ１７は、２つの下かごプーリ１０ａ、１０ｂに巻き掛けられ、他方の端部が、外かご２中間部の中間梁２ｄに弾性体１９を介して固定されて、下かご１３を吊持する。即ち、かご位置調整ロープ１７は、かご位置調整用巻上機１１のかご位置調整駆動シーブ１１ａに巻き掛けられ、上かご１２と下かご１３の間隔を可変に調整する。この際、かご位置調整ロープ１７の両端は、上かご１２底部に配置された上かごプーリ（上かご用プーリ）９ａ、９ｂを介して外かご２上部の弾性体１９と下かご１３底部に配置された下かごプーリ（下かご用プーリ）１０ａ、１０ｂを介して外かご２中間部の弾性体１９に分かれて固定される。
【００２７】
弾性体１９には、ばね、ゴムまたは弾性樹脂を用いることができ、本実施例では、ばねを用いる。
【００２８】
また図２に示す通り、緩衝器２４ａ、２４ｂと対向する上かご１２と下かご１３の底面には、所定以上の強度を有する緩衝器当接部２４１ａ、２４１ｂが設けられており、非常時に緩衝器２４ａ、２４ｂと上かご１２と下かご１３とが接触しても、互いに損傷することは無い。
【００２９】
制御装置１８は、制御装置８の指示に従い、かご位置調整用巻上機１１を駆動してかご位置調整駆動シーブ１１ａを回転させて、かご位置調整ロープ１７を動かすことで、外かご２の内部で上かご１２と下かご１３を互いに反対方向に移動させる。
【００３０】
次に、本実施例におけるかご位置調整ロープの交換方法を、図３〜図９に従って説明する。図３〜図８は、本実施例におけるかご位置調整ロープの交換方法を説明するための外かごの縦断面図であり、図９は、本実施例におけるかご位置調整ロープの交換方法であって、作業者による作業手順を説明するためのフローチャートである。
【００３１】
複数の作業者は、図９に示すように、作業手順に従って以下の作業を行う。まず、内かごを開き（ＯＰＥＮ）（Ｓ１）、かご位置調整用巻上機１１を駆動して、上かご１２と下かご１３を互いに離れる方向に移動させて、上かご１２底部側と下かご１３底部側に作業スペースを確保した状態で、内かご用バッファ台（中間梁２ｄ、下梁２ｅ）から、バッファである緩衝器２４ａ、２４ｂを取外す（Ｓ２）。
【００３２】
次に、図３に示す通り、下かご１３の底面の緩衝器当接部２４１ｂと下梁２ｅとの間に支持材２５を配設し、下かご１３下のバッファ台（下梁２ｅ）に支持材２５を固定する（Ｓ３）。緩衝器２４ｂの代わりに、緩衝器２４ｂが配置されていた位置に支持材２５を配置し、下かご１３の底面の緩衝器当接部２４１ｂに相対向させて、支持材２５を下梁２ｅに固定する。
【００３３】
次に、図４に示す通り、上かご１２の底面の緩衝器当接部２４１ａと中間梁２ｄとの間にジャーナル(ヘリカルギヤ式)ジャッキ（ジャッキ装置）２６を配設し、上かご１２下のバッファ台（中間梁２ｄ）にジャーナルジャッキ２６を固定する（Ｓ４）。緩衝器２４ａの代わりに、緩衝器２４ａが配置されていた位置にジャーナルジャッキ２６を配置し、上かご１２の底面の緩衝器当接部２４１ａに相対向させて、ジャーナルジャッキ２６を中間梁２ｄに固定する。次に、上かご１２をジャーナルジャッキ２６でジャッキアップ（上昇移動）し、ロープテンションを緩める（Ｓ５）。
【００３４】
こうすることで、上かご１２の自重をジャーナルジャッキ２６で支持し、下かご１３の自重を支持材２５で支持することで、上かご１２と下かご１３がかご位置調整ロープ１７に付与していた張力を除去する。
【００３５】
次に、図５に示すように、複数のロープ（ロープ材）で構成されたかご位置調整ロープ１７のうち下かご１３側のロープ端部（１本）を弾性体１９から取外し、取外されたロープを旧かご位置調整ロープ１７とし（以下、かご位置調整ロープ１７を旧かご位置調整ロープ１７と称することがある。）、旧かご位置調整ロープ１７の端部と、新かご位置調整ロープ（交換用かご位置調整ロープ）２７の端部（１本）とを連結し、さらに、かご位置調整ロープ１７のうち上かご１２側のロープ端部（１本）を弾性体１９から取外し、取外されたロープを旧かご位置調整ロープ１７として巻き取りドラム２８に取り付ける。
【００３６】
この状態とした後、図中矢印の方向に、新かご位置調整ロープ２７を送り出しドラム２９から、下かごプーリ１０ｂ、１０ａを介してかご位置調整用巻上機１１側に送り出しながら、旧かご位置調整ロープ１７を巻き取りドラム２８に巻き付けて回収することで、新旧ロープの交換作業を行う。
【００３７】
そして、新かご位置調整ロープ２７の他端部を下かご１３側の弾性体１９に取り付け、新かご位置調整ロープ２７の一端部(送り出し初め部位)を上かご１２側の弾性体１９に取り付ければ、１本目のかご位置調整ロープ１７の新旧交換が完了する（Ｓ６）。即ち、ステップＳ６では、新旧ロープを一本つなぎ合わせ、ロープの送り出し、巻き取りでロープ交換の作業が行われる。
【００３８】
その後、かご位置調整ロープ１７の本数分、ステップＳ６における交換作業を行い、旧かご位置調整ロープ１７を新かご位置調整ロープ２７に交換する。
【００３９】
そして、図６に示すように、ジャーナルジャッキ２６をジャッキダウン（下降移動）し、上かご１２と下かご１３から新かご位置調整ロープ２７に張力（ロープテンション）を掛ける（Ｓ７）。次に、図７に示すように、かご位置調整用巻上機１１を駆動して、上かご１２と下かご１３を互いに近づく方向に移動させて、上かご１２下のジャーナルジャッキ２６を取外し（Ｓ８）、内かごを閉じ（ＣＬＯＳＥ）（Ｓ９）、その後、下かご１３下の支持材２５を下梁２ｅから取外し（Ｓ１０）、次に、内かご用バッファ台である中間梁２ｄと下梁２ｅにそれぞれバッファである緩衝器２４ａ、２４ｂを取付け（Ｓ１１）、旧かご位置調整ロープ１７を新かご位置調整ロープ２７に交換する作業が完了する。
【００４０】
なお、支持材２５を用いることなく、上かご１２と下かご１３とを両方ともジャーナルジャッキ２６でジャッキアップしても同様の効果が得られる。
【００４１】
また、支持材２５とジャーナルジャッキ２６の配置を逆とし、下かご１３をジャーナルジャッキ２６でジャッキアップし、上かご１２を支持材２５で支持させても同様の効果が得られる。
【００４２】
さらに、上記実施例では、図５に示したように、新かご位置調整ロープ２７を送り出しドラム２９から送り出しながら、旧かご位置調整ロープ１７を巻き取りドラム２８に巻き付けて回収する作業を、資材運搬の効率化のために、同一階床の乗場で行ったが、作業スペースが狭い場合は、図８に示すように、駆動装置６の駆動により、上かご１２と下かご１３を相異なる乗場に移動させ、送り出しドラム２９を下階床乗場に、巻き取りドラム２８を上階床乗場に設置し、新かご位置調整ロープ２７を送り出しドラム２９から送り出しながら、旧かご位置調整ロープ１７を巻き取りドラム２８に巻き付けて回収することで、作業スペースを十分に確保できる。
【００４３】
本実施例によれば、ダブルデッキエレベーターにおけるかご位置調整ロープの交換を容易に行うことができる。また、上かご１２と下かご１３の底面に配置されて、所定以上の強度を有する緩衝器当接部２４１ａ、２４１ｂに相対向させて、支持材２５とジャーナルジャッキ２６を配置するようにしたため、新たに上かご１２、下かご１３にジャッキアップ時の荷重を受ける補強材を設ける必要なく、容易にジャッキアップすることができ、円滑なロープ交換作業を行うことが可能である。
【００４４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、実施例の構成の一部について、他の構成の追加・削除・置換をすることが可能である。
【符号の説明】
【００４５】
２  外かご、９ａ、９ｂ  上かごプーリ、１０ａ、１０ｂ  下かごプーリ、１１  かご位置調整用巻上機、１２  上かご、１３  下かご、１７  かご位置調整ロープ、２４ａ、２４ｂ  緩衝器、２５  支持材、２６  ジャーナルジャッキ、２７  新かご位置調整ロープ
【図１】
2018012575.tif 000003
【図２】
2018012575.tif 000004
【図３】
2018012575.tif 000005
【図４】
2018012575.tif 000006
【図５】
2018012575.tif 000007
【図６】
2018012575.tif 000008
【図７】
2018012575.tif 000009
【図８】
2018012575.tif 000010
【図９】
2018012575.tif 000011